(57)【要約】    【課題】      ユーザの個人情報の転用、流出をなくし、プライバシーを確実に保護しつつ、ユーザの要望に応じたコンテンツを容易に検索し再生することができるコンテンツ再生方法、コンテンツ再生端末及びコンテンツ提供システムを提供する。    【解決手段】  コンテンツ提供システムのデータ送信サーバ１０からコンテンツを含むデータが配信される（Ｓ３）。コンテンツには制御情報に加えて位置情報が付加される（Ｓ２）。データはコンテンツ再生端末４１〜４３において受信される（Ｓ４）。コンテンツ再生端末４１〜４３においては、位置情報を含むコンテンツを履歴情報として格納し、格納された位置情報からユーザの行動特性に応じた検索情報を抽出し（Ｓ８）、検索情報に対応する新たなコンテンツを優先的に選別し（Ｓ９）、再生する（Ｓ１１）。  【選択図】      図１
2005222335.tif 000002
【特許請求の範囲】
【請求項１】
位置情報を含むコンテンツの履歴情報を格納する段階と、
ユーザの行動特性に応じた検索情報を前記履歴情報に格納された前記位置情報から抽出する段階と、
前記検索情報に対応する新たなコンテンツを優先的に選別する段階と、
前記新たなコンテンツを再生する段階と、
を備えたことを特徴とするコンテンツ再生方法。
【請求項２】
前記履歴情報を格納する段階は、前記位置情報を含む商品購入履歴情報を格納する段階であり、
前記行動特性に応じた検索情報を抽出する段階は、前記商品購入履歴情報の最後の購入商品項目に含まれる位置情報に基づき、前記行動特性に応じた検索情報を抽出する段階であることを特徴とする請求項１記載のコンテンツ再生方法。
【請求項３】
前記行動特性に応じた検索情報を抽出する段階は、前記履歴情報に含まれる位置情報に応じた、前記ユーザの行動エリア情報を含む検索情報を抽出する段階であり、
前記検索情報に対応する新たなコンテンツを優先的に選別する段階は、前記行動エリア情報に応じた行動エリアで配信される新たなコンテンツを優先的に選別する段階であることを特徴とする請求項１又は請求項２記載のコンテンツ再生方法。
【請求項４】
前記行動エリア情報を含む検索情報を抽出する段階は、前記履歴情報に含まれる位置情報に基づき中心位置情報を抽出し、前記中心位置情報とエリア径情報とに基づき前記行動エリアの範囲が設定された前記行動エリア情報を含む検索情報を抽出する段階であることを特徴とする請求項３記載のコンテンツ再生方法。
【請求項５】
前記行動エリア情報を含む検索情報を抽出する段階は、前記履歴情報に含まれる第１の位置情報に基づき第１の中心位置情報を抽出し、前記履歴情報に含まれる、前記第１の位置情報とは異なる第２の位置情報に基づき第２の中心位置情報を抽出し、前記第１の中心位置情報と前記第２の中心位置情報との間の距離の２分の１の距離から前記エリア径情報を抽出し、前記第１の中心位置情報と前記エリア径情報とに基づき前記行動エリアの範囲が設定された行動エリア情報を含む検索情報を抽出する段階であることを特徴とする請求項４記載のコンテンツ再生方法。
【請求項６】
前記履歴情報を格納する段階は、前記位置情報を含む商品購入履歴情報を格納する段階であり、
前記行動特性に応じた検索情報を抽出する段階は、前記商品購入履歴情報の購入商品数が最も多い購入場所の位置情報に基づき、前記行動特性に応じた検索情報を抽出する段階であることを特徴とする請求項１記載のコンテンツ再生方法。
【請求項７】
前記履歴情報を格納する段階は、前記位置情報を含む商品購入履歴情報を格納する段階であり、
前記行動特性に応じた検索情報を抽出する段階は、前記商品購入履歴情報の最大購入金額の購入商品の購入場所の位置情報に基づき、前記行動特性に応じた検索情報を抽出する段階であることを特徴とする請求項１記載のコンテンツ再生方法。
【請求項８】
コンテンツを受信する通信手段と、
位置情報を含む履歴情報を格納する格納手段と、
前記履歴情報に格納された前記位置情報からユーザの行動特性に応じた検索情報を抽出する検索情報抽出手段と、
前記検索情報に対応する新たなコンテンツを優先的に選別するコンテンツ選別手段と、
前記新たなコンテンツを再生する再生手段と、
を備えたことを特徴とするコンテンツ再生端末。
【請求項９】
位置情報を含むコンテンツ、コンテンツ再生情報及び制御条件情報を含むデータを送信するデータ送信サーバと、
コンテンツ再生端末と、を備え、
前記コンテンツ再生端末は、
前記コンテンツを受信する通信手段と、
位置情報を含む履歴情報を格納する格納手段と、
前記履歴情報に格納された前記位置情報からユーザの行動特性に応じた検索情報を抽出する検索情報抽出手段と、
前記検索情報に対応する新たなコンテンツを優先的に選別するコンテンツ選別手段と、
前記新たなコンテンツを再生する再生手段と、
を備えたことを特徴とするコンテンツ提供システム。
【発明の詳細な説明】
【技術分野】
【０００１】
本発明は、コンテンツ再生方法、コンテンツ再生端末及びコンテンツ提供システムに関し、特にデータ送信サーバから配信されるコンテンツを再生するコンテンツ再生方法、このコンテンツ再生方法を実現するコンテンツ再生端末及びデータ送信サーバとコンテンツ再生端末とを含むコンテンツ提供システムに関する。
【背景技術】
【０００２】
消費者（ユーザ）の広告の閲覧時間、閲覧場所、嗜好を考慮した広告情報をピンポイントで配信し、消費者の購買要求を広告主に取り次ぐ、広告提供システム及び広告提供方法が提案されている（例えば、特許文献１参照）。この広告提供システムは通信事業者端末、消費者端末及び企業端末により構築されている。
【０００３】
通信事業者端末は、広告情報、消費者の位置情報及び嗜好情報を格納し、位置情報、嗜好情報及び閲覧時間に基づき広告情報を選択する。この選択された広告情報は通信事業者端末から該当する消費者端末に送信される。
【０００４】
消費者端末は消費者（消費者端末）の位置情報を通信事業者端末に送信する。消費者端末は、通信事業者端末から送信される広告情報を受信し、この広告情報を表示する。消費者は、広告情報から自己の嗜好にあった商品等を選択し、この商品等の予約依頼情報を消費者端末から通信事業者端末に送信する。
【０００５】
企業端末は広告情報を通信事業者端末に送信する。この広告情報には、対象とする消費者の属性、広告情報を配信する有効な場所及び有効な時間に関する情報が含まれる。更に、企業端末は消費者端末から送信された予約依頼情報を通信事業者端末を経由して受信する。企業においては、このような予約依頼情報に基づき、消費者の嗜好にあった商品等を消費者の要求に応じて販売することができる。
【特許文献１】特開２００１−２８２８３４号公報
【発明の開示】
【発明が解決しようとする課題】
【０００６】
上記広告提供システム及び広告提供方法においては、消費者端末から通信事業者端末に送信される、消費者の位置情報に基づき、消費者の現時点の閲覧場所に広告情報がピンポイントで配信されている。しかしながら、このように配信された広告情報は、消費者にとって、必ずしも現時点の閲覧場所において最適な広告情報であるとは限らない。例えば、消費者の閲覧場所は現時点では出先であるが、この出先とは違う比較的良く出向く場所において、後日、商品を購入したい場合には、この良く出向く場所において購入したい商品に関連した広告情報を閲覧したい要望がある。
【０００７】
更に、上記広告提供システム及び広告提供方法を利用する場合には、消費者の位置情報、嗜好情報を含む個人情報を通信事業者端末に送信したり、登録しておく必要がある。このため、登録手続きが煩わしいばかりか、個人情報の転用や流出の可能性があり、プライバシーの保護が充分であるとは言えない。
【０００８】
本発明は、かかる点に鑑みてなされたものであり、ユーザの要望に応じたコンテンツを容易に検索し再生することができるとともに、ユーザの個人情報の転用、流出をなくし、ユーザのプライバシーを確実に保護することができるコンテンツ再生方法、コンテンツ再生端末及びコンテンツ提供システムを提供することを目的とする。
【課題を解決するための手段】
【０００９】
本発明のコンテンツ再生方法は、位置情報を含むコンテンツの履歴情報を格納する段階と、ユーザの行動特性に応じた検索情報を前記履歴情報に格納された前記位置情報から抽出する段階と、前記検索情報に対応する新たなコンテンツを優先的に選別する段階と、前記新たなコンテンツを再生する段階とを備えた構成を採る。
【００１０】
この方法によれば、履歴情報に含まれる位置情報からユーザの行動特性に応じた検索情報を抽出し、この検索情報に対応する新たなコンテンツを優先的に選別し再生するようにしたので、コンテンツ発信元にユーザの個人情報を登録しなくても、ユーザの行動特性に応じた新たなコンテンツを選別して受信し再生することができる。
【００１１】
本発明のコンテンツ再生方法は、前記履歴情報を格納する段階は、前記位置情報を含む商品購入履歴情報を格納する段階であり、前記行動特性に応じた検索情報を抽出する段階は、前記商品購入履歴情報の最後の購入商品項目に含まれる位置情報に基づき、前記行動特性に応じた検索情報を抽出する段階である構成を採る。
【００１２】
この方法によれば、商品購入履歴情報の最後の購入商品項目に含まれる位置情報からユーザの行動特性に応じた検索情報を抽出し、この検索情報に対応する新たなコンテンツを優先的に選別し再生するようにしたので、コンテンツ発信元にユーザの個人情報を登録しなくても、ユーザの行動特性に応じた新たなコンテンツを選別して受信し再生することができる。
【００１３】
本発明のコンテンツ再生方法は、前記行動特性に応じた検索情報を抽出する段階は、前記履歴情報に含まれる位置情報に応じた、前記ユーザの行動エリア情報を含む検索情報を抽出する段階であり、前記検索情報に対応する新たなコンテンツを優先的に選別する段階は、前記行動エリア情報に応じた少なくとも行動エリア内で配信される新たなコンテンツを優先的に選別する段階である構成を採る。
【００１４】
この方法によれば、履歴情報に含まれる位置情報からユーザの行動エリア情報を含む検索情報を抽出し、この検索情報に対応し少なくとも行動エリア内で配信される新たなコンテンツを優先的に選別し再生するようにしたので、コンテンツ発信元にユーザの個人情報を登録しなくても、ユーザの行動特性に応じた新たなコンテンツを選別して受信し再生することができる。
【００１５】
本発明のコンテンツ再生方法は、前記行動エリア情報を含む検索情報を抽出する段階は、前記履歴情報に含まれる位置情報に基づき中心位置情報（例えば、行動エリアの中心位置を確定する情報が含まれる）を抽出し、前記中心位置情報とエリア径情報（例えば、エリア半径又はエリア直径を決定する情報が含まれる）とに基づき前記行動エリアの範囲が設定された前記行動エリア情報を含む検索情報を抽出する段階である構成を採る。
【００１６】
この方法によれば、位置情報から抽出される中心位置情報とエリア径情報とに基づき行動エリアの範囲を設定した行動エリア情報を含む検索情報を抽出したので、ユーザの行動エリアの範囲内で配信される新たなコンテンツを優先的に選別し再生することができる。
【００１７】
本発明のコンテンツ再生方法は、前記行動エリア情報を含む検索情報を抽出する段階は、前記履歴情報に含まれる第１の位置情報に基づき第１の中心位置情報を抽出し、前記履歴情報に含まれる、前記第１の位置情報とは異なる第２の位置情報（例えば、第１の位置情報の近傍の位置情報）に基づき第２の中心位置情報を抽出し、前記第１の中心位置情報と前記第２の中心位置情報との間の距離の２分の１の距離から前記エリア径情報を抽出し、前記第１の中心位置情報と前記エリア径情報とに基づき前記行動エリアの範囲が設定された行動エリア情報を含む検索情報を抽出する段階である構成を採る。
【００１８】
この方法によれば、第１及び第２の位置情報から抽出される、第１及び第２の中心位置情報に基づき簡易な演算でエリア径情報を抽出するようにしたので、行動エリア情報を含む検索情報を自動的に抽出することができる。
【００１９】
本発明のコンテンツ再生方法は、前記履歴情報を格納する段階は、前記位置情報を含む商品購入履歴情報を格納する段階であり、前記行動特性に応じた検索情報を抽出する段階は、前記商品購入履歴情報の購入商品数が最も多い購入場所の位置情報に基づき、前記行動特性に応じた検索情報を抽出する段階である構成を採る。
【００２０】
この方法によれば、商品購入履歴情報の購入商品数が最も多い購入場所の位置情報からユーザの行動特性に応じた検索情報を抽出し、この検索情報に対応する新たなコンテンツを優先的に選別し再生するようにしたので、コンテンツ発信元にユーザの個人情報を登録しなくても、ユーザの行動特性に応じた新たなコンテンツを選別して受信し再生することができる。
【００２１】
本発明のコンテンツ再生方法は、前記履歴情報を格納する段階は、前記位置情報を含む商品購入履歴情報を格納する段階であり、前記行動特性に応じた検索情報を抽出する段階は、前記商品購入履歴情報の最大購入金額の購入商品の購入場所の位置情報に基づき、前記行動特性に応じた検索情報を抽出する段階である構成を採る。
【００２２】
この方法によれば、商品購入履歴情報の最大購入金額の購入商品の購入場所の位置情報からユーザの行動特性に応じた検索情報を抽出し、この検索情報に対応する新たなコンテンツを優先的に選別し再生するようにしたので、コンテンツ発信元にユーザの個人情報を登録しなくても、ユーザの行動特性に応じた新たなコンテンツを選別して受信し再生することができる。
【００２３】
本発明のコンテンツ再生端末は、コンテンツを受信する通信手段と、位置情報を含む履歴情報を格納する格納手段と、前記履歴情報に格納された前記位置情報からユーザの行動特性に応じた検索情報を抽出する検索情報抽出手段と、前記検索情報に対応する新たなコンテンツを優先的に選別するコンテンツ選別手段と、前記新たなコンテンツを再生する再生手段とを備えた構成を採る。
【００２４】
この構成によれば、通信手段によりコンテンツを受信し、格納手段により位置情報を含む履歴情報を格納し、検索情報抽出手段により履歴情報の位置情報からユーザの行動特性に応じた検索情報を抽出し、コンテンツ選別手段により検索情報に対応した新たなコンテンツを選別して受信し、再生手段により新たなコンテンツを再生することができる。
【００２５】
本発明のコンテンツ提供システムは、位置情報を含むコンテンツ、コンテンツ再生情報及び制御条件情報を含むデータを送信するデータ送信サーバと、コンテンツ再生端末と、を備え、前記コンテンツ再生端末は、前記コンテンツを受信する通信手段と、位置情報を含む履歴情報を格納する格納手段と、前記履歴情報に格納された前記位置情報からユーザの行動特性に応じた検索情報を抽出する検索情報抽出手段と、前記検索情報に対応する新たなコンテンツを優先的に選別するコンテンツ選別手段と、前記新たなコンテンツを再生する再生手段とを備えた構成を採る。
【００２６】
この構成によれば、データ送信サーバにより位置情報を含むコンテンツ、コンテンツ再生情報及び制御条件情報を含むデータを送信し、通信手段によりデータを受信し、格納手段により位置情報を含む履歴情報を格納し、検索情報抽出手段により履歴情報の位置情報からユーザの行動特性に応じた検索情報を抽出し、コンテンツ選別手段により検索情報に対応した新たなコンテンツを選別して受信し、再生手段により新たなコンテンツを再生することができる。
【発明の効果】
【００２７】
本発明によれば、ユーザの要望に応じたコンテンツを容易に検索し再生することができるとともに、ユーザの個人情報の転用や流出をなくし、ユーザのプライバシーを確実に保護することができる。
【発明を実施するための最良の形態】
【００２８】
本発明の骨子は、履歴情報に含まれる位置情報からユーザの行動特性に応じた検索情報を抽出し、この検索情報に対応する新たなコンテンツを優先的に選別し再生するようにしたことである。
【００２９】
以下、本発明の実施の形態について図面を参照して詳細に説明する。
【００３０】
（実施の形態１）
［コンテンツ提供システムの構造］
本発明の実施の形態１に係るコンテンツ提供システム１は、図２に示すように、データを送信するデータ送信サーバ（放送サーバ）１０と、複数のコンテンツ再生端末４１〜４３とを備え、更にデータ送信サーバ１０にインターネット６０を経由してコンテンツを提供する複数のコンテンツ提供サーバ５１〜５３と、データ送信サーバ１０からデータをコアネットワーク２０を経由して受信しこのデータをコンテンツ再生端末４１〜４３に送信（配信）する基地局３１〜３３とを備えて構築されている。ここで、コンテンツ再生端末４１〜４３、コンテンツ提供サーバ５１〜５３、基地局３１〜３３のそれぞれの数は実施の形態１において特に限定されるものではない。
【００３１】
データ送信サーバ１０は複数のコンテンツ再生端末４１〜４３に対して同報のデータを配信する。ここで、配信されるデータは、例えばオーディオコンテンツ(Audio Content)と、ビデオコンテンツ(Video Content)と、テキストベースのコンテンツとを含む。これらのコンテンツには制御情報が加えられている。
【００３２】
制御情報には、各コンテンツに付随する属性情報と、コンテンツ再生情報と、制御条件情報（rule.xml）とが含まれる。コンテンツ再生情報はコンテンツの再生時間、再生表示位置等、コンテンツの再生制御を行う情報である。制御条件情報はユーザの行動特性に応じた検索情報を抽出する制御を行う情報である。ここで、ユーザの行動特性とは、例えばユーザが要望する場所、地域、都市、建物、路線等の位置やエリアにおいてユーザの要望に応じて行う行動の特性という意味で使用されている。例えば、ユーザが頻繁に出向く場所やエリアにおいてユーザが商品を購入する行動、逆にユーザが出向かない場所やエリアにおいてユーザがインターネットを経由して商品を購入する行動、ユーザが要望する場所やエリアにユーザが出向く行動、ユーザが要望する場所やエリアにおいてユーザがコンテンツを検索する行動等が、ユーザの行動特性に含まれる。
【００３３】
属性情報には位置情報が含まれる。ここで、位置情報とは、場所、地域、都市、建物、路線の駅等の位置若しくはそれらを特定するための位置を含む情報である。例えば、位置情報には、経度（longitude）及び緯度（latitude）を少なくとも含む情報が使用される。なお、これらの制御情報の詳細については後述する。
【００３４】
［コンテンツ再生端末の構造］
コンテンツ再生端末４１〜４３は実施の形態１において携帯電話である。コンテンツ再生端末４１〜４３は、図３に示すように、コンテンツを受信する通信手段と、位置情報を含む履歴情報を格納する格納手段と、履歴情報に格納された位置情報からユーザの行動特性に応じた検索情報を抽出する検索情報抽出手段と、検索情報に対応する新たなコンテンツを優先的に選別するコンテンツ選別手段と、新たなコンテンツを再生する再生手段とを備えている。
【００３５】
ここで、実施の形態１において、コンテンツ再生端末４１〜４３の通信手段は通信部４０１により構築されている。通信部４０１は、基本的にはデータの送受信を行い、コンテンツを含むデータを受信するようになっている。
【００３６】
格納手段は、履歴情報格納部４０４と、制御情報格納４０７と、情報格納制御部４０８とを備えて構築されている。
【００３７】
履歴情報格納部４０４は、少なくともユーザの行動特性に応じて検索された、位置情報を属性情報として含むコンテンツの履歴情報を格納する。履歴情報格納部４０４には、コンテンツ再生端末４１〜４３の各々に内蔵されたメモリ、具体的には電気的消去型不揮発性メモリ（EEPROM）、読出書込可能な揮発性メモリ（SRAMやDRAM）、磁気メモリ（Hard Disk）のいずれかを実用的に使用することができる。また、履歴情報格納部４０４には、コンテンツ再生端末４１〜４３に着脱自在な外部記憶装置、例えばカード型メモリ、スティック型メモリ等を実用的に使用することができる。更に、無線網や有線網で構築されたネットワークのサーバの記憶装置を、履歴情報格納部４０４として使用することができる。
【００３８】
制御情報格納部４０７はコンテンツに含まれる制御情報を格納する。制御情報格納部４０７には、履歴情報格納部４０４と同様に内蔵メモリ、外部記憶装置のいずれかを実用的に使用することができる。情報格納制御部４０８は前述の履歴情報を履歴情報格納部４０４に格納する制御を行う。
【００３９】
検索情報抽出手段は制御情報抽出部４０２と制御情報解析部４０３とを備えている。制御情報抽出部４０２は、通信部４０１において受信されたデータを解析し、この解析結果に基づきデータに含まれる制御情報つまりコンテンツ再生情報及び制御条件情報を抽出する。このコンテンツ再生情報及び制御条件情報は、制御情報格納部４０７に格納される。制御情報解析部４０３は、制御情報抽出部４０２において抽出された制御情報又は制御情報格納部４０７に格納された制御情報を解析し、最終的にはこの解析結果と履歴情報に含まれる位置情報とに基づきユーザの行動特性に応じたコンテンツの検索情報を抽出する。
【００４０】
コンテンツ選別手段は再生制御決定部４０５により構築されている。再生制御決定部４０５は、検索情報に基づきユーザの行動特性に応じたコンテンツを選別し、優先的に再生するコンテンツを決定する。
【００４１】
再生手段は、コンテンツ再生処理部４０６と、再生出力部４１０とを備えている。コンテンツ再生処理部４０６は、再生制御決定部４０５において検索情報に応じて選別され再生を決定されたコンテンツを再生するための処理を行う。具体的には、コンテンツ再生処理部４０６は、ビデオコンテンツを実際の映像として出力する再生処理、オーディオコンテンツを実際の音声として出力する再生処理、テキストベースのコンテンツを実際に映像（又は音声）として出力する再生処理を行う。
【００４２】
再生出力部４１０は、同図３及び図４に示すように、コンテンツ再生端末４１〜４３の端末筐体４２０のユーザが見やすい位置に配設されたビデオ出力部４１１と、携帯電話として適正な音声聞き取り位置に配設されたオーディオ出力部４１２とを備えている。実施の形態１において、ビデオ出力部４１１の、図４中、上側にはビデオコンテンツを再生した映像を表示するメイン再生領域４１１ａが配設され、下側にはテキストベースのコンテンツ、具体的にはコンテンツ提供サーバ５１〜５３から配信された広告等のコンテンツを文字や映像として再生し表示するサブ再生領域４１１ｂが配設されている。ビデオ出力部４１１には液晶表示画面（LCD）又は有機エレクトロルミネッセンス（EL）画面を実用的に使用することができる。オーディオ出力部４１２は例えばスピーカである。
【００４３】
［コンテンツ再生方法］
次に、前述の図２に示すコンテンツ提供システム１において、コンテンツ再生方法を図１を用いて説明する。
【００４４】
まず最初に、ステップＳ１に示すように、コンテンツ提供サーバ５１〜５３は、インターネット６０を経由してデータ送信サーバ１０にビデオコンテンツ、オーディオコンテンツ、広告等のテキストベースのコンテンツを提供する。
【００４５】
ステップＳ２に示すように、データ送信サーバ１０においては、コンテンツ提供サーバ５１〜５３から提供された各コンテンツに属性情報及び制御情報を付加して配信するためのデータを生成する。実施の形態１において、コンテンツに付加される属性情報には経度及び緯度の情報を含む位置情報が含まれる。
【００４６】
ステップＳ３に示すように、データ送信サーバ１０からコンテンツを含むデータが配信され、このデータはコアネットワーク２０を経由して基地局３１〜３３に送信され、更に基地局３１〜３３から無線信号により複数のコンテンツ再生端末４１〜４３に同報データとして配信される。
【００４７】
コンテンツ再生端末４１〜４３においては、ステップＳ４に示すように、配信されたデータが通信部４０１において受信される（図３参照。）。受信されたデータには、複数のコンテンツ、データ送信サーバ１０において付加されたコンテンツに関連付けられる属性情報及びコンテンツの制御情報が含まれる。
【００４８】
ステップＳ５に示すように、制御情報抽出部４０２において、受信されたデータから、制御情報すなわちコンテンツ再生情報及び制御条件情報と、属性情報の位置情報とが抽出される。
【００４９】
ステップＳ６に示すように、制御情報解析部４０３において、コンテンツ再生情報の解析が実行される。コンテンツ再生情報は、図５に示すように、マルチメディアコンテンツを作成するための記述言語のうちの例えばスマイル（SMIL：Synchronized Multimedia Integration Language）により記述されている。
【００５０】
コンテンツ再生情報は各コンテンツの再生表示位置、再生時間等の再生制御に関する情報である。コンテンツ再生情報のうち、再生情報Ｄ１は、ビデオコンテンツ、テキストベースのコンテンツのそれぞれの再生表示位置に関する情報である。ここでは、再生表示位置「ａ」及び「ｂ」に関する情報が含まれる。再生表示位置「ａ」は、トップの「１０ピクセル」目から「１８０ピクセル」の高さと、レフトの「１０ピクセル」目から「１８０ピクセル」の幅とで規定され、図４に示すビデオ出力部４１１のメイン再生領域４１１ａに相当する。再生表示位置「ｂ」は、トップの「１９０ピクセル」目から「２０ピクセル」の高さと、レフトの「１０ピクセル」目から「１８０ピクセル」の幅とで規定され、図４に示すビデオ出力部４１１のサブ再生領域４１１ｂに相当する。
【００５１】
コンテンツ再生情報の再生情報Ｄ２は、オーディオコンテンツ（Audio Content）を再生出力部４１０のオーディオ出力部４１２において再生するという情報ｄ１と、ビデオコンテンツ（Video Content）を再生表示位置「ａ」（メイン再生領域４１１ａ）において再生するという情報ｄ２とを含む。
【００５２】
更に、再生情報Ｄ２には、制御条件情報（rule.xml）を参照し、この制御条件情報に従って選別されたコンテンツを再生表示位置「ｂ」（サブ再生領域４１１ｂ）に再生するという情報ｄ３が含まれる。実施の形態１においては、再生表示位置「ｂ」に、主に広告等のテキストベースのコンテンツを再生するようになっている。更に、情報ｄ３は、制御条件情報に従って再生するコンテンツが選択されない場合（ユーザの行動特性に応じた検索情報が抽出されていない場合）には、デフォルト設定としてテキストベースのコンテンツ（content1.html）を再生表示位置「ｂ」に再生するようになっている。
【００５３】
ステップＳ７に示すように、制御情報解析部４０３において、制御条件情報の解析が実行される。実施の形態１において、図３に示す履歴情報格納部４０４には、ユーザの行動特性に応じた履歴情報として商品購入履歴情報を少なくとも格納している。実施の形態１において、制御条件情報は、この商品購入履歴情報から最後に購入した商品の履歴情報に含まれる、商品の購入場所の位置情報を抽出し、この位置情報を検索情報として購入場所又はその近傍の位置情報を属性情報として含むコンテンツを優先的に選別し、再生する制御を行う情報である。
【００５４】
制御条件情報は、図６に示すように、まずコンテキスト（context）として「最後の商品購入位置（最も最近に購入した商品の購入場所：latest Purcharse Point）」を指定する。この指定に基づき、制御条件情報は、制御情報Ｄ５に基づき図３に示す履歴情報格納部４０４に格納されたすべて（all.xml）の商品購入履歴情報から、制御情報Ｄ４に基づき最後の商品購入時刻（latest Time）を、制御情報Ｄ３に基づき抽出（select）し、制御情報Ｄ６に基づきこの抽出された商品購入位置（point）を出力として抽出する。この商品購入位置は、ユーザの商品の購入要望に従い、現在位置であるか否かを問わず、ユーザの好みの場所、販売店、地域等において商品を購入したという特性に従い抽出された位置情報であり、ステップＳ８に示すように、「ユーザの行動特性に応じた検索情報」である。
【００５５】
履歴情報格納部４０４に格納された商品購入履歴情報は図７に示すように購入商品項目（item）毎に格納されており、各購入商品項目には、一例であるが、「購入時刻」、「購入曜日」、経度及び緯度で表された位置情報である「購入位置」、「商品品目」、「商品名」、「商品購入金額」に関する情報が記憶されている。
【００５６】
前述の図６に示す制御条件情報において、制御情報Ｄ６に基づき商品購入位置、つまりユーザの行動特性に応じた検索情報（位置情報）が抽出されると、ステップＳ９に示すように、制御情報Ｄ７に基づき、再生制御決定部４０５において、ユーザの行動特性に応じた検索情報の位置情報に最も近い（near Point）位置情報を属性情報（attribute.xml）から抽出し、この抽出された位置情報に対応するコンテンツが選別される。この選別は、１つのコンテンツだけを選別するようにしてもよいし、検索情報の位置情報に近い順から優先順位をつけて順次選別するようにしてもよい。
【００５７】
データのテキストベースのコンテンツに加えられた属性情報には、例えば、図８に示すように、経度及び緯度で表される位置情報が含まれている。最初に表示されているコンテンツ（content1.html）の属性情報には、このコンテンツが「渋谷エリア」に関わる位置情報が含まれる。次に表示されているコンテンツ（content2.html）の属性情報には、このコンテンツが「横浜エリア」に関わる位置情報が含まれる。最後に表示されているコンテンツ（content3.html）の属性情報には、このコンテンツが「銀座エリア」に関わる位置情報が含まれる。
【００５８】
実施の形態１においては、履歴情報格納部４０４に格納された図７に示す商品購入履歴情報から最後に購入した商品（図７中、破線で囲む項目）の購入時刻は「２００３年１２月２４日、１４時３０分」というターゲット情報を抽出し、この購入商品項目に含まれる購入位置情報「経度：１３９度３７分２８．００秒、緯度：３５度２７分４５．００秒」を抽出し、これを位置情報として最も近いエリアの位置情報を検索すると、図８に示すコンテンツの属性情報から「横浜エリア」に関わるテキストベースのコンテンツ（content2.html）を選別することができる。
【００５９】
なお、ユーザの行動特性に応じた検索情報に適合する位置情報が抽出されていない場合には、図６に示す制御条件情報の制御情報Ｄ８のデフォルト設定に基づき、現在位置（current Point）を検索情報としてコンテンツを選別する。
【００６０】
また、図６に示す制御条件情報は図３に示す制御情報格納部４０７に格納しておき、制御条件情報のコンテキストの「最後の商品購入位置」が指定された段階で、制御情報格納部４０７から予め格納されている制御条件情報が呼び出されるようにしてもよい。
【００６１】
ステップＳ１０に示すように、再生されるテキストベースのコンテンツ（content2.html）が決定されると、通信部４０１において受信されるコンテンツを選別し、ユーザの行動特性に応じて「横浜エリア」に関するコンテンツが優先的に選別される。この選別されたコンテンツはコンテンツ再生処理部４０６において再生に必要な処理が行われる。この後、処理済みのコンテンツは、ステップＳ１１に示すように、再生出力部４１０において再生される。ビデオコンテンツは図４に示すビデオ出力部４１１のメイン再生領域４１１ａにおいて映像として再生され、オーディオコンテンツはオーディオ出力部４１２において音声として再生される。そして、テキストベースのコンテンツ（content2.html）すなわちユーザの行動特性に応じて検索された「横浜エリア」に関わるコンテンツはサブ再生領域４１１ｂに優先的に映像として再生される。
【００６２】
このように、実施の形態１によれば、履歴情報に含まれる位置情報からユーザの行動特性に応じた検索情報を抽出し、この検索情報に対応する新たなコンテンツを優先的に選別し再生するようにしたので、コンテンツ発信元にユーザの個人情報を登録しなくても、ユーザの行動特性に応じた新たなコンテンツを選別して受信し再生することができる。従って、ユーザの要望に応じたコンテンツを容易に検索し再生することができるとともに、ユーザの個人情報の転用や流出をなくし、ユーザのプライバシーを確実に保護することができる。
【００６３】
（実施の形態２）
本発明の実施の形態２に係るコンテンツ再生方法、コンテンツ再生端末４１〜４３及びコンテンツ提供システム１は、ユーザの行動特性に応じた検索情報に基づきユーザの行動エリアを抽出し、この行動エリアに関わるコンテンツを優先的に選別し再生するものである。
【００６４】
実施の形態２に係るコンテンツ再生端末４１〜４３は、図９に示すように制御条件情報にエリア径情報（radius）Ｄ９を含む。このエリア径情報Ｄ９は、例えば図３に示す制御情報格納部４０７に予め格納されており、固定情報として、又は最初はデフォルト値で後にユーザが適宜変更できる変動情報として格納されている。実施の形態２において、エリア径情報Ｄ９は、半径で記述する情報として設定されており、「半径：５００ｍ」に設定されている。なお、エリア径情報Ｄ９は直径で記述する情報として設定してもよい。
【００６５】
前述の実施の形態１において説明したように、ユーザの行動特性に応じて「位置情報」を抽出することができるので、この「位置情報」を「中心位置情報」として抽出し、この「中心位置情報」とエリア径情報Ｄ９の「５００ｍ」とに基づき領域を持った「行動エリア情報」を抽出することができる。例えば、同９図に示すように、「横浜駅」の中心位置情報を「経度：１３９度３７分２８．７０秒、経度：３５度２７分４５．５０秒」とした場合、この中心位置から半径「５００ｍ」で描かれる円の範囲内を、「行動エリア情報」として抽出することができる。この「行動エリア情報」はユーザの行動特性に応じた「検索情報」である。この検索情報に基づき、行動エリア内に関わるコンテンツを優先的に選別し再生することができる。
【００６６】
実施の形態２によれば、位置情報から抽出される中心位置情報とエリア径情報とに基づき行動エリアの範囲を設定した行動エリア情報を含む検索情報を抽出することができるので、ユーザの行動エリアに関わる新たなコンテンツを優先的に選別し再生することができる。
【００６７】
（実施の形態３）
本発明の実施の形態３に係るコンテンツ再生方法、コンテンツ再生端末４１〜４３及びコンテンツ提供システム１は、実施の形態２において説明したユーザの行動特性に応じた検索情報である「行動エリア情報」を別の方法で抽出する例を説明するものである。
【００６８】
実施の形態３に係るコンテンツ再生端末４１〜４３は、隣接する２つの「中心位置情報」の例えば２分の１の「距離」を前述の図９に示す制御条件情報のエリア径情報Ｄ９に代えて、この「距離」と「中心位置情報」とに基づき「行動エリア情報」を抽出する。
【００６９】
例えば、前述の図９に示す「渋谷駅」の中心位置情報（第１の中心位置情報）と、「渋谷駅」の中心位置情報に近接した「銀座駅」の中心位置情報（第２の中心位置情報）との間の離間距離の２分の１の「距離」に基づき、「渋谷駅」を中心位置情報とした「行動エリア情報」を抽出し、この「行動エリア情報」を「検索情報」とすることができる。
【００７０】
実施の形態３によれば、複数の中心位置情報に基づき「行動エリア情報」を抽出することができるので、ユーザの行動特性に応じた検索情報を自動的に抽出し、この検索情報に基づき行動エリアにおいて配信されるコンテンツを優先的に選別し再生することができる。
【００７１】
（実施の形態４）
本実施の形態４に係るコンテンツ再生方法、コンテンツ再生端末４１〜４３及びコンテンツ提供システム１は、前述の実施の形態１において説明した商品購入履歴情報からの検索情報の抽出方法を代えた例を説明するものである。
【００７２】
実施の形態４に係るコンテンツ再生端末４１〜４３は、商品購入履歴情報の購入商品数が最も多い購入場所の位置情報に基づきユーザの行動特性に応じた検索情報を抽出し、この検索情報に基づき、ユーザの行動特性に応じたコンテンツを選別し、再生することができる。
【００７３】
制御条件情報は、図１０に示すように、まずコンテキストとして「購入商品数が最も多い購入場所（max Number Area 1）」であることが示されている。制御条件情報は、制御情報Ｄ１２に基づき前述の図３に示す履歴情報格納部４０４に格納されたすべての商品購入履歴情報から、すべての購入場所（point）情報を抽出し、制御情報Ｄ１３が示すエリア変換情報（point Trans.xml）に基づき「エリア情報」への変換を行い、制御情報Ｄ１１に基づき最大数となる、すなわち購入商品数が最も多い（max Number）エリアを、制御情報Ｄ１０（select）に基づき抽出する。抽出されたエリア情報に対応するコンテンツを優先して再生する。ここでは、最大購入数を示す「横浜エリア」が示されるので、コンテンツ（content2.html）が選択される。
【００７４】
なお、ユーザの行動特性に応じた検索情報に適合するエリア情報が抽出されなかった場合には、制御情報Ｄ１５のデフォルト設定に基づき、現在位置のエリア（current Point)を検索情報としてコンテンツを選択する。更に、現在位置のエリアに関わる、コンテンツが配信されていない場合には、図５の再生情報ｄ３に基づきコンテンツ（content1.html）を選択する。
【００７５】
実施の形態４によれば、商品購入履歴情報の購入商品数が最も多い購入場所の位置情報からユーザの行動特性に応じた検索情報を抽出し、この検索情報に対応する新たなコンテンツを優先的に選別し再生するようにしたので、コンテンツ発信元にユーザの個人情報を登録しなくても、ユーザの行動特性に応じた新たなコンテンツを選別して受信し再生することができる。
【００７６】
（実施の形態５）
本実施の形態５に係るコンテンツ再生方法、コンテンツ再生端末４１〜４３及びコンテンツ提供システム１は、前述の実施の形態４において説明したエリア情報（エリア変換規則）を用いずに、受信情報に含まれる位置情報をエリア中心位置情報とする例を説明するものである。
【００７７】
実施の形態５に係るコンテンツ再生端末４１〜４３は、商品購入履歴情報の購入商品数が最も多い購入場所の位置情報に基づきユーザの行動特性に応じたエリアを含む検索情報を抽出し、この検索情報に基づき、ユーザの行動特性に応じたコンテンツを選別し、再生することができる。
【００７８】
制御条件情報は、図１１に示すように、まずコンテキストとして「購入商品数が最も多い購入エリア（max Number Area 2）」を指定する。この指定に基づき、制御条件情報は、制御情報Ｄ１９に基づき前述の図３に示す履歴情報格納部４０４に格納されたすべての商品購入履歴情報から、すべての購入場所（point）情報を抽出し、制御情報（transArea（））Ｄ２０に基づきエリア情報への変換を行い、制御情報Ｄ１８に基づき最大数となる行動エリアを抽出する。ここで、制御情報（transArea（））Ｄ２０は、エリア情報として、図８に示すコンテンツの属性情報を用いることを示す。この属性情報では、各コンテンツに関する位置情報をエリアの中心位置情報とする。エリア径情報は、あらかじめ設定した値、例えば５００ｍを用いたり、実施の形態３で述べたように、複数の中心位置情報より求めても良い。この「行動エリア情報」は「ユーザの行動特性に応じた検索情報」である。
【００７９】
なお、ユーザの行動特性に応じた検索情報に適合するエリア情報が抽出されなかった場合には、制御情報Ｄ２１のデフォルト設定に基づき、現在位置のエリアを検索情報としてコンテンツを選別する。更に、現在位置のエリアに関わる、コンテンツが配信されていない場合には、図５の再生情報ｄ３に基づきコンテンツ（content1.html）を選択する。
【００８０】
実施の形態５によれば、商品購入履歴情報の購入商品数が最も多い購入場所の位置情報からユーザの行動特性に応じた検索情報を抽出し、この検索情報に対応する新たなコンテンツを優先的に選別し再生するようにしたので、コンテンツ発信元にユーザの個人情報を登録しなくても、ユーザの行動特性に応じた新たなコンテンツを選別して受信し再生することができる。
【００８１】
（実施の形態６）
本発明の実施の形態６に係るコンテンツ再生方法、コンテンツ再生端末４１〜４３及びコンテンツ提供システム１は、前述の図７に示す商品購入履歴情報の最大購入金額の購入商品の購入場所の位置情報に基づき、ユーザの行動特性に応じた検索情報を抽出し、この検索情報に基づき、ユーザの行動特性に応じたコンテンツを選別し、再生することができる。なお、前述の実施の形態２において説明したように、最大購入金額の購入商品の購入場所の位置情報に基づき、エリア情報を抽出し、ユーザの行動特性に応じた検索情報を抽出するようにしてもよい。
【００８２】
なお、本発明は前述の実施の形態に限定されるものではない。例えば、本発明は、高速道路のサービスエリアにおいて入手可能なサービスサイト等において配信されているエリア情報、具体的には前述の図９に示すような、少なくとも位置情報とエリア径情報とを含む検索情報をコンテンツ再生端末４１〜４３の図３に示す情報格納制御部４０８にロードし（ユーザの行動特性に応じて検索情報を抽出し）、この検索情報に基づきコンテンツを選別し、再生するようにしてもよい。また、本発明は、コンテンツ再生端末４１〜４３の図３に示す制御情報格納部４０７に属性情報の位置情報を履歴情報として格納することができる。なお、最大購入品数を抽出するなどについては、特定の商品に関する購入数、購入金額、又は総購入金額など、商品を指定して位置情報を抽出することも可能である。
【産業上の利用可能性】
【００８３】
本発明に係るコンテンツ再生方法、コンテンツ再生端末及びコンテンツ提供システムは、ユーザの個人情報の転用や流出をなくし、ユーザのプライバシーを確実に保護することができるとともに、ユーザの要望に応じたコンテンツを容易に検索し再生することができるという効果を有し、ポケットベル、無線機、携帯情報端末（ＰＤＡ：Personal Digital Assistant）、ノート型パーソナルコンピュータ、無線ＬＡＮや有線ＬＡＮにより構築されたネットワーク上のパーソナルコンピュータ等のコンテンツ再生端末、コンテンツ再生方法及びコンテンツ提供システムに有効である。
【図面の簡単な説明】
【００８４】
【図１】本発明の実施の形態１に係るコンテンツ再生方法を説明するフローチャート
【図２】本発明の実施の形態１に係るコンテンツ提供システムの構築図
【図３】本発明の実施の形態１に係るコンテンツ再生端末のブロック図
【図４】図３に示すコンテンツ再生端末の再生出力部の構成図
【図５】本発明の実施の形態１に係るコンテンツ再生情報を示す図
【図６】本発明の実施の形態１に係る制御条件情報を示す図
【図７】本発明の実施の形態１に係る履歴情報を示す図
【図８】本発明の実施の形態１に係る属性情報を示す図
【図９】本発明の実施の形態２に係る制御条件情報を示す図
【図１０】本発明の実施の形態４に係る制御条件情報を示す図
【図１１】本発明の実施の形態５に係る制御条件情報を示す図
【符号の説明】
【００８５】
１  コンテンツ提供システム
１０  データ送信サーバ
２０  コアネットワーク
３１〜３３  基地局
４１〜４３  コンテンツ再生端末
５１〜５３  コンテンツ提供サーバ
６０  インターネット
４０１  通信部
４０２  制御情報抽出部
４０３  制御情報解析部
４０４  履歴情報格納部
４０５  再生制御決定部
４０６  コンテンツ再生処理部
４０７  制御情報格納部
４０８  情報格納制御部
４１０  再生出力部
４１１  ビデオ出力部
４１１ａ  メイン再生領域
４１１ｂ  サブ再生領域
４１２  オーディオ出力部
４２０  端末筐体
【図１】
2005222335.tif 000003
【図２】
2005222335.tif 000004
【図３】
2005222335.tif 000005
【図４】
2005222335.tif 000006
【図５】
2005222335.tif 000007
【図６】
2005222335.tif 000008
【図７】
2005222335.tif 000009
【図８】
2005222335.tif 000010
【図９】
2005222335.tif 000011
【図１０】
2005222335.tif 000012
【図１１】
2005222335.tif 000013